(57)【要約】【課題】ピニオンギヤ、セクターギヤのバックラッシュを低剛性素材のサブギヤで埋めればサブギヤを高い寸法精度のもとで成形する必要があり、孔に嵌合したダンパーを変形させればガタつきや異音の発生を確実に防止できない。【解決手段】セクターギヤ２８は中央の板材２８ｃを左右から板材２８Ｌ、２８Ｒで挟持する三層構造とされ、中央の板材は左右の板材間に固定された後半部２８ｃ１とその先端に歯を持ち左右の板材間に径方向に可動に挟持された前半部２８ｃ２とに分断して形成されている。付勢部材３６が中央の板材の前半部、後半部間に配置されて径方向の付勢力を前半部に加えることにより、前半部の歯２８−１〜３は左右の板材の重複する歯よりも突出され、ピニオンギヤの歯２６−１、２６−２に押圧され、左右から挟持して噛合されるため、ピニオンギヤ、セクターギヤはバックラッシュのない状態で噛合される。【選択図】図４
2009001222.tif 000002
【特許請求の範囲】
【請求項１】
シートフレーム、シートライザー間に介在されたフロントリンク、リヤリンクの一対のハイトリンクによってシートを昇降可能に支持するとともに、駆動手段の駆動レバーの操作に連動して駆動手段のピニオンギヤを回動させ、ピニオンギヤに噛合するリヤリンクのセクターギヤを駆動させてシートを任意の高さに調整、設定可能とした車両用シートのハイト機構において、
中央の板材を左右から板材で挟持する多層構造にセクターギヤが構成され、
中央の板材は、左右の板材間に固定された後半部と、その先端に歯を持ち、左右の板材間で径方向に可動に挟持された前半部とに分断して形成され、
付勢部材が中央の板材の前半部、後半部間に配置され、径方向の付勢力を中央の板材の前半部に加え、前半部の歯を左右の板材の重複する歯よりも突出させてピニオンギヤの歯に噛合させたことを特徴とする車両用シートのハイト機構。
【請求項２】
中央の板材の前半部は、径方向だけでなく円周方向にも可動に左右の板材間で挟持されている請求１記載の車両用シートのハイト機構。
【請求項３】
付勢部材が板ばねである請求項１または２記載の車両用シートのハイト機構。
【請求項４】
付勢部材が波形断面の板ばねである請求項１または２記載の車両用シートのハイト機構。
【発明の詳細な説明】
【技術分野】
【０００１】
本発明は、シートの高さ調整を可能とする車両用シートのハイト機構、特に、シートのガタつきを防止する車両用シートのハイト機構に関する。
【背景技術】
【０００２】
自動車などのシートクッション内部に装着されるハイト機構（シートリフター機構ともいう）は、シートの高さを任意に調節可能に、フロント、リヤのハイトリンクを車床上のシートライザー、シート下端のシートフレーム間でその前後左右に一対ずつ揺動可能に配置して構成されている。ハイト機構においては、駆動レバーや、下方へのハイトリンクの揺動を規制するブレーキユニットなどを有する駆動手段によって、たとえば、リヤのハイトリンク（リヤリンク）を揺動させ、リヤリンクの揺動角度に応じて、シートの高さを調整して設定可能となっている。つまり、ハイトリンク上端にその回動軸の固定されたセクターギヤに、駆動レバーに連動して駆動するピニオンギヤが噛合されており、駆動レバーを操作してピニオンギヤを駆動させれば、セクターギヤがリヤリンクを伴って揺動してシートを昇降させるように構成されている。
【０００３】
通常、ピニオンギヤ、セクターギヤの歯の噛合部分にバックラッシュが必然的に存在する。そのため、駆動レバーを操作してピニオンギヤを駆動させたり、乗員の着座などによってシートクッションに大きな荷重や振動が加わると、バックラッシュに起因するガタや異音がシートクッションに発生する。
【０００４】
ガタや異音の発生を防止するために、たとえば、特開平０６−２７８５０９号公報には、セクターギヤより低剛性素材からなるサブギヤをセクターギヤと同軸で一体的に設け、サブギヤの歯をセクターギヤの歯よりも大きく形成することにより、サブギヤの歯の間隔がセクターギヤの歯の間隔よりもバックラッシュ相当分だけ小さく設定された構成が記載されている。
【０００５】
また、特開２００７−０６２５３０号公報では、セクターギヤに長孔と長孔でない挿通孔という２種類の孔を設け、これらの孔に段付ピンを挿通させてサブギヤが、その歯をセクタギヤの歯に対してバックラッシュ相当分だけずらしてセクタギヤに取付けられている。ここで、長孔でない挿通孔には、弾性材からなるダンパーが嵌合され、このバンパーを介在して段付ピンが挿通孔に挿通されている。
【特許文献１】特開平０６−２７８５０９号公報
【特許文献２】特開２００７−０６２５３０号公報
【発明の開示】
【発明が解決しようとする課題】
【０００６】
特開平０６−２７８５０９号公報の構成では、サブギヤがピニオンギヤ、セクターギヤ間のバックラッシュ相当分を埋めることで、ハイト機構の駆動時（駆動レバーの操作時）、非駆動時（乗員の着座時など）に加わる荷重、振動などをサブギヤが弾性的に受け止めて、ガタつきや異音の発生を防止する。しかし、サブギヤが硬質のウレタンやゴムなどの低剛性素材から成形されるとともに、サブギヤを高い寸法精度のもとで成形する必要があるため、コストアップとなる。
【０００７】
また、特開２００７−０６２５３０号公報の構成においては、挿通孔内のダンパーが弾性変形してハイト機構の駆動時や非駆動時における荷重、振動などを吸収することにより、ガタつきや異音の発生を防止できる。しかし、ダンパーはサブギヤを径方向に均等に付勢しておらず、サブギヤ、ピニオンギヤの噛合位置によってダンパーの変形による影響が相違し、ガタつきや異音の発生を防止する程度が異なるため、ガタつきや異音の発生を確実に防止することができない。すなわち、ダンパーの嵌合された挿通孔付近でのサブギヤ、ピニオンギヤの噛合においては、ダンパーの変形による影響が大きく、ガタつきや異音の発生を十分に防止できる。これに対して、ダンパーから離反した長孔付近でのサブギヤ、ピニオンギヤの噛合においては、ダンパーの変形による影響が少なく、ガタつきや異音の発生を確実に防止できない。
【０００８】
本発明は、サブギヤを高い寸法精度のもとで成形することなく、ガタつきや異音の発生が確実に防止できるシートのハイト機構の提供を目的としている。
【課題を解決するための手段】
【０００９】
請求項１に係る本発明によれば、シートフレーム、シートライザー間に介在されたフロントリンク、リヤリンクの一対のハイトリンクによってシートを昇降可能に支持するとともに、駆動手段の駆動レバーの操作に連動して駆動手段のピニオンギヤを回動させ、ピニオンギヤに噛合するリヤリンクのセクターギヤを駆動させてシートを任意の高さに調整、設定可能とした車両用シートのハイト機構において、中央の板材を左右から板材で挟持する多層構造にセクターギヤが構成され、中央の板材は、左右の板材間に固定された後半部と、その先端に歯を持ち、左右の板材間に径方向に可動に挟持された前半部とに分断されている。そして、付勢部材が中央の板材の前半部、後半部間に配置され、径方向の付勢力を中央の板材の前半部に加え、前半部の歯を左右の板材の重複する歯よりも突出させてピニオンギヤの歯に噛合させている。
【発明の効果】
【００１０】
請求項１の本発明では、径方向に可動に左右の板材間に挟持されたセクターギヤの中央の板材の前半部は、付勢部材の付勢力のもとで径方向に突出してピニオンギヤと常に噛合され、ピニオンギヤ、セクターギヤ間のバックラッシュを埋めるサブギヤとして機能する。そのため、ハイト機構の非駆動時、駆動時のいずれにおいてもバックラッシュは存在せず、バックラッシュに起因するガタつきや異音の発生が防止される。
そして、付勢部材は、中央の板材の前半部（サブギヤ）、後半部間に配置されて径方向に均等にサブギヤを付勢するため、円周方向でのサブギヤ、ピニオンギヤの噛合位置に関係なく、ガタつきや異音の発生が確実に防止される。
また、中央の板材の前半部（サブギヤ）は付勢部材のもとで径方向に付勢されているため、サブギヤを硬質のウレタンやゴムなどの低剛性素材から成形する必要はない。さらに、中央の板材の前半部（サブギヤ）に成形上の寸法誤差があっても、付勢されることによりその寸法誤差が吸収されるため、サブギヤを高い寸法精度のもとで成形する必要もない。
【発明を実施するための最良の形態】
【００１１】
セクターギヤは中央の板材を左右から板材で挟持する多層構造に構成され、中央の板材は、左右の板材間に固定された後半部と、その先端に歯を持ち、左右の板材間に円周方向および径方向に可動に挟持された前半部とに分断して形成されている。そして、付勢部材が中央の板材の前半部、後半部間に配置され、径方向の付勢力を中央の板材の前半部に加え、前半部の歯を左右の板材の重複する歯よりも突出させてピニオンギヤの歯に噛合させている。付勢部材は、たとえば、波形断面の板ばねとされる。
【実施例】
【００１２】
以下、図面を参照しながら本発明の実施例を詳細に説明する。図１は本発明の一実施例に係る車両用シートのハイト機構の概略平面図、図２は車両用シートのハイト機構の概略正面図、図３は図１の矢印Ａ−Ａから見た車両用シートのハイト機構の概略正面図を示す。
【００１３】
図１〜図３に示すように、車両用シートのハイト機構１０は、シートフレーム１２、シートライザー１４間に介在されたフロント、リヤ一対のハイトリンク（フロントリンク、リヤリンク）１６Ｆ、１６Ｒによってシートフレーム１２上のシート１３を昇降可能に支持するように構成されている。なお、実施例では、アッパーレール、ロアレールの組み合わせからなるシートスライド装置をシートライザー１４としているが、これに限定されない。
【００１４】
ハイト機構１０のフロントリンク１６Ｆ、リヤリンク１６Ｒは、シートフレーム１２、シートライザー１４間で左右にそれぞれ配置され、左右のフロントリンク１６Ｆ−１、１６Ｆ−２がフロントの連結シャフト（リンクシャフト）１８Ｆの端にそれぞれ固定、連結されて左右一体化されている。また、左右のリヤリンク１６Ｒ−１、１６Ｒ−２はリヤの連結シャフト（リンクシャフト）１８Ｒに固定、連結されて左右一体化されている。そして、フロントリンク１６Ｆ、リヤリンク１６Ｒは、シートフレーム１２、シートライザー１４に、その上下端をそれぞれ連結、枢支することにより、シートをシートライザーに対して昇降可能に支持している。
なお、リヤリンク１６Ｒはセクタカバー１９で被覆されている。しかし、内部構造を図示するために、図３ではセクタカバー１９は除かれている。
【００１５】
図１、図３に示すように、ハイト機構１０は駆動手段２０を左右いずれかに備え、実施例では、シートの右サイドに駆動手段２０が配置され、リヤリンク１６Ｒ−１を揺動させ、リヤリンク１６Ｒ−１の揺動角度に応じてシートの高さを調整、設定している。駆動手段２０は、駆動レバー２２と、左右いずれか（実施例では右サイド）でハイトリンク（フロントリンク１６Ｆ、リヤリンク１６Ｒ）の揺動を規制するブレーキ２４と、駆動レバーに加えられた動力をリヤリンク１６Ｒに伝達するためのピニオンギヤ２６と、ピニオンギヤに噛合するセクターギヤ２８とを有して形成されている。ピニオンギヤ２６は駆動レバー２２と同軸で一体的に回動可能に設けられ、セクターギヤ２８はリヤの連結シャフト１８Ｒに固定されてリヤの連結シャフトと一体化されている。
【００１６】
駆動レバー２２を操作すれば、その出力が駆動レバーと同軸のピニオンギヤ２６を回動させ、ピニオンギヤに噛合するセクターギヤ２８をリヤの連結シャフト１８Ｒとともに揺動させる。左右のリヤリンク１６Ｒ−１、１６Ｒ−２がリヤの連結シャフト１８Ｒを介して一体化されているため、リヤの連結シャフトの回動に伴って、左右のリヤリンクがその揺動軸１７の回りで揺動し、その揺動に追従して左右のフロントリンク１６Ｆ−１、１６Ｆ−２も揺動されることにより、シート１３がシートフレーム１２とともに昇降される。
【００１７】
上記のようなハイトリンク（フロントリンク、リヤリンク）１６Ｆ、１６Ｒ、駆動手段２０を備えたハイト機構１０の基本構成自体は、たとえば、特開２００１−０８８５８９号公報記載のように公知であり、その基本構成自体は本発明の要旨でないため、ハイト機構の基本構成の詳細な説明は省略する。
【００１８】
図４はピニオンギヤとセクターギヤ（またはサブギヤ）との噛合状態を示し、（Ａ）は概略正面図、（Ｂ）は（Ａ）のＢ部の拡大正面図、（Ｃ）は（Ａ）の線Ｃ−Ｃに沿った断面図をそれぞれ示す。
後述するように、本発明では、セクターギヤ２８の一部がピニオンギヤ２６に噛合してセクターギヤ、ピニオンギヤの間のバックラッシュを埋めるサブギヤとして機能している。
【００１９】
図４（Ｃ）に示すように、セクターギヤ２８は３枚の板材を重ねた多層構造に構成されている。すなわち、セクターギヤ２８は、中央の板材２８ｃを左右（図上では上下）から板材２８Ｌ、２８Ｒで挟持する多層構造とされ、中央の板材２８ｃは、基部となる後半部２８ｃ１と、その先端に歯を持ち、左右の板材間に挟持された前半部２８ｃ２とに分断して成形されている。
【００２０】
図５は、セクターギヤの構成部材を分解した平面図を示し、左右の板材は同一形状であるため、一方（２８Ｒ）のみを示し、他方（２８Ｌ）は省略されている。
複数の係合穴、たとえば、３つの係合穴２９ａが、左右の板材２８Ｌ、２８Ｒおよび中央の板材の後半部２８ｃ１を貫通して形成され、係合ピン２９ｂが係合穴２９ａに係合されることによって中央の板材の後半部２８ｃ１は左右の板材２８Ｌ、２８Ｒに固定されている。
また、大径の係合穴３０ａが左右の板材２８Ｌ、２８Ｒおよび中央の板材の後半部２８ｃ１を貫通して形成され、この係合穴にリヤの連結シャフト１８Ｒが固定されている。
さらに、非円形のガイド孔３１ａが左右の板材２８Ｌ、２８Ｒおよび中央の板材の後半部２８ｃ１を貫通して形成されている。図３に示すように、ガイドピン３１ｂがシートフレーム１２の内面に固着されて内方に突出し、このガイドピンが左右の板材２８Ｌ、２８Ｒおよび中央の板材の後半部２８ｃ１のガイド孔３１ａに遊嵌されることにより、セクターギヤ２８はガイドピン３１ｂにガイドされてシートフレーム上を揺動される。実施例では、セクターギヤ２８の軽量化のために、ガイド孔３１ａは大きく形成されている。
【００２１】
また、中央の板材の前半部２８ｃ２に２つの係合穴３３ａが左右の対称位置に形成され、この係合穴と略整列して、係合穴３３ａよりも小径の係合穴３３ａ’が左右の板材２８Ｌ、２８Ｒに形成され、係合ピン３３ｂが係合穴３３ａ、３３ａ’に係合されている。
ここで、中央の板材の前半部２８ｃ２に形成された係合穴３３ａは、左右の板材２８Ｌ、２８Ｒに形成された係合穴３３ａ’よりも大径であるため、係合穴、係合ピン間に隙間が残存し、前半部２８ｃ２は、係合ピン３３ｂをガイドピン、係合穴３３ａをガイド孔として円周方向および径方向に可動となる。すなわち、中央の板材の前半部２８ｃ２は、左右の板材２８Ｌ、２８Ｒ間で円周方向および径方向に可動に挟持されている。
図４（Ｃ）からわかるように、中央の板材の前半部２８ｃ２は、左右の板材２８Ｌ、２８Ｒとの間に可動許容スペースを残すように、その後半部２８ｃ１よりも薄く成形されている。
【００２２】
図６は左右の板部材の一方を除いて中央の板材を露出させたセクターギヤの正面図を示す。図６では、左右の板材のうち、板材２８Ｒが除かれている。
径方向の付勢力を中央の板材の前半部２８ｃ２に加えるように、付勢部材３６が中央の板材の前半部２８ｃ２、後半部２８ｃ１間に配置されている。付勢部材３６は、たとえば、多数の波形を持つ波形断面の板ばねとされる。
図４（Ａ）（Ｂ）（Ｃ）、図６に示すように、径方向に付勢された中央の板材の前半部２８ｃ２の歯が、中央の板材２８ｃを挟持する左右の板材２８Ｌ、２８Ｒの重複する歯よりも突出するように、係合穴（ガイド孔）３３ａ、係合ピン（ガイドピン）３３ｂの形状が設定されている。
【００２３】
中央の板材の前半部２８ｃ２の歯は付勢部材３６の付勢力のもとで径方向に付勢されて左右の板材２８Ｌ、２８Ｒの重複する歯よりも突出し、ピニオンの対応する歯に常に噛合する。
たとえば、図４（Ｂ）に示すように、中央の板材の前半部２８ｃ２の隣接する一対の歯２８−１、２８−２が付勢部材３６の径方向の付勢力のもとでピニオン２６の対応する歯２６−１に押圧され、両側から挟持して噛合する。同様に、隣接する一対の歯２８−２、２８−３が付勢部材３６の径方向の付勢力のもとでピニオン２６の対応する歯２６−２に押圧され、両側から挟持して噛合する。
【００２４】
このように、径方向への付勢力のもとで中央の板材の前半部２８ｃ２の歯がピニオン２６の対応する歯に押圧され、両側から挟持して噛合することにより、ハイト機構の非駆動時、駆動時のいずれにおいても、中央の板材の前半部２８ｃ２によってピニオンギヤ２６、セクターギヤ２８間のバックラッシュ相当分が埋められ、バックラッシュの存在が許されない。つまり、中央の板材の前半部２８ｃ２が、ピニオンギヤ２６、セクターギヤ２８間のバックラッシュ相当分を埋めるサブギヤとして機能する。そのため、ピニオンギヤ２６、セクターギヤ２８間にバックラッシュは存在せず、ハイト機構の非駆動時、駆動時のいずれにおいてもバックラッシュに起因するガタつきや異音の発生が防止される。
【００２５】
駆動レバー２２を操作してピニオンギヤ２６を駆動する際には、ピニオンギヤ２６の歯にその歯が押圧されてサブギヤ（中央の板材の前半部）２８ｃ２が付勢部材３６の付勢力に抗して径方向に後退する。そのため、本来のセクターギヤの歯（左右の板材２８Ｌ、２８Ｒの歯）とピニオンギヤ２６の歯とが噛合し、セクターギヤがリヤの連結シャフト１８Ｒとともに揺動して、シート１３がシートフレーム１２とともに昇降される。
【００２６】
また、ガイド孔（係合穴）３３ａ、ガイドピン（係合ピン）３０ｂ間に隙間があり、サブギヤ２８ｃ２が、径方向に加えて円周方向にも可動であるため、円周方向にも移動しながらサブギヤは付勢部材３６の付勢力に抗して径方向に後退する。
また、径方向だけでなく円周方向にも可動であるため、シートクッションに加わった荷重や振動をサブギヤ２８ｃ２が付勢力のもとで円滑に吸収でき、この点からもバックラッシュによるガタつきや異音の発生が防止される。
【００２７】
中央の板材の後半部２８ｃ１、前半部（サブギヤ）２８ｃ２の間に付勢部材３６を配置する構成では、円周方向でのピニオンギヤ２６、サブギヤ２８ｃ２の噛合位置に関係なく径方向の付勢力をサブギヤに均等に加えることができる。そのため、サブギヤ、ピニオンギヤの噛合位置と無関係に、サブギヤ２８ｃ２によってピニオンギヤ２６、セクターギヤ２８間のバックラッシュ相当分を埋めることができ、バックラッシュに起因するガタつきや異音の発生を確実に防止できる。
【００２８】
また、中央の板材の後半部２８ｃ１、前半部（サブギヤ）２８ｃ２の間で付勢部材３６の配置スペースを円周方向に広範囲にとることができるため、円周方向でのピニオンギヤ２６、サブギヤ２８ｃ２の噛合位置に関係なく径方向の付勢力をサブギヤに均等に加える設計が容易に得られる。
【００２９】
付勢部材３６は、中央の板材の後半部２８ｃ１、前半部（サブギヤ）２８ｃ２の間に配置されてサブギヤ（前半部）２８ｃ２を径方向で外方に付勢するものであればよく、図示の板ばねに限定されず、圧縮コイルばね、竹の子ばねなどでもよい。また、ばねに限定されず、弾性ゴムなどを付勢部材としてもよい。
【００３０】
しかし、圧縮コイルばね、竹の子ばねなどであれば、配置スペースとして広いスペースが径方向に必要とされ、複数個配置する必要があるのに対して、板ばねであれば径方向の狭いスペースに配置でき、１つの板ばねで必要な付勢力が得られる利点がある。特に、実施例のように多数（たとえば、ほぼ２０）の山と谷を持つ波形断面の板ばねを付勢部材３６とすれば、僅かな径方向のスペースで配置できるとともに、円周方向のどの位置でも均等な径方向の付勢力をサブギヤに加えることができ、サブギヤ、ピニオンギヤの噛合位置と無関係にバックラッシュを埋めてガタつきや異音の発生を確実に防止できる。多数（たとえば、ほぼ２０）の山と谷を持つ波形断面の板ばねが好ましいとはいえ、中央とその左右に対称に１つずつまたは数個（たとえば、２〜５個）ずつの山と谷を持つ波形断面の板ばねを使用してもよい。
【００３１】
サブギヤ（中央の板材の前半部）２８ｃ２は左右の板材２８Ｌ、２８Ｒに挟持されているため、板厚方向でのずれ、ブレが防止され、ずれ、ブレのない状態でその歯がピニオンギヤに噛合するため、この点からもバックラッシュによるガタつきや異音の発生が確実に防止される。
【００３２】
３枚の薄板２８ｃ、２８Ｌ、２８Ｒを重ねた多層構造においては、一枚の厚板からなる１枚構造よりも部品精度が低くてよいため、加工コストが低下し、セクターギヤのコストダウンが可能となる。
セクターギヤ２８を構成する３枚の板材２８ｃ、２８Ｌ、２８Ｒは、通常、ピニオンギヤと同じ材料からいずれも成形されるが、ピニオンギヤと異なる材料から成形してもよい。また、サブギヤとなる中央の板材の前半部２８ｃ２を他の板材（中央の板材の後半部２８ｃ１、左右の板材２８Ｌ、２８Ｒ）と別の材料から成形してもよい。
【００３３】
上記のように、径方向の付勢力をサブギヤに加えているため、ハイト機構の非駆動時、駆動時のいずれにおいても、ピニオンギヤ、セクターギヤ間にバックラッシュが存在せず、バックラッシュによるガタつきや異音の発生が防止される。
サブギヤが付勢部材によってバックラッシュをなくす方向に付勢されているため、サブギヤを硬質のウレタンやゴムなどの低剛性素材から成形する必要はなく、ピニオンギヤ、セクターギヤと同じ材質から成形できる。また、サブギヤに成形上の寸法誤差があっても、付勢されることによりその寸法誤差が吸収されるため、サブギヤを高い寸法精度のもとで成形する必要もない。そのため、コストアップとならず、ガタつきや異音の発生のないシートのハイト機構が安価に得られる。
【００３４】
上述した実施例は、この発明を説明するためのものであり、この発明を何等限定するものでなく、この発明の技術範囲内で変形、改造等の施されたものも全てこの発明に包含されることはいうまでもない。
たとえば、多層構造のセクターギヤは図示の三層構造に限定されず、中央の板材を左右から挟持する板材は中央の板材の前半部（サブギヤ）を可動に挟み込むものであれば足り、図示のように左右から一枚構造の板で中央の板材を挟持する代わりに、多層構造の板材で中央の板材を左右から挟持してもよい。
【産業上の利用可能性】
【００３５】
本発明は、駆動レバーを操作してピニオンギヤを駆動させ、ピニオンギヤと噛合するセクターギヤを揺動させるハイト機構を有する車両用シートに広範囲に応用できる。
【図面の簡単な説明】
【００３６】
【図１】本発明の一実施例に係る車両用シートのハイト機構の概略平面図を示す。
【図２】車両用シートのハイト機構の概略正面図を示す。
【図３】図１の矢視Ａ−Ａから見た車両用シートのハイト機構の概略正面図を示す。
【図４】ピニオンギヤとセクターギヤ（またはサブギヤ）との噛合状態を示し、（Ａ）は概略正面図、（Ｂ）は（Ａ）のＢ部の拡大正面図、（Ｃ）は（Ａ）の線Ｃ−Ｃに沿った断面図をそれぞれ示す。
【図５】セクターギヤの構成部材を分解した平面図を示し、左右の板材は同一形状であるため、一方のみを示し、他方は省略されている。
【図６】左右の板部材の一方を除いて中央の板材を露出させたセクターギヤの正面図を示す。
【符号の説明】
【００３７】
１０                    ハイト機構
１２                    シートフレーム
１３                    シート
１４                    シートライザー
１６（１６Ｆ、１６Ｒ）  ハイトリンク（フロントリンク、リヤリンク）
１８（１８Ｆ、１８Ｒ）  連結シャフト（フロント連結シャフト、リヤ連結シャフト）
２０                    駆動手段
２２                    駆動レバー
２６                    ピニオンギヤ
２６−１、２６−２      歯
２８                    セクターギヤ
２８ｃ                  中央の板材
２８ｃ１                中央の板材の後半部
２８ｃ２                中央の板材の前半部（サブギヤ）
２８−１〜２８−３      サブギヤの歯
２８Ｌ、２８Ｒ          左右の板材
３３ａ                  係合ピン（ガイドピン）
３３ｂ                  係合穴（ガイド穴）
３６                    付勢部材
【図１】
2009001222.tif 000003
【図２】
2009001222.tif 000004
【図３】
2009001222.tif 000005
【図４】
2009001222.tif 000006
【図５】
2009001222.tif 000007
【図６】
2009001222.tif 000008